(57)【要約】  通信制御方法は、第１のセルを管理するｅＮＢ２００−１が、複数のサブフレームのうち少なくとも１つにおいて、複数のリソースブロックのうち一部のリソースブロックからなる無線リソースを、第１のセルにおける下りリンク制御信号を送信するためのｅＰＤＣＣＨ領域として設定する設定ステップと、ｅＮＢ２００−１が、第２のセルを管理するｅＮＢ２００−２に対して、ｅＰＤＣＣＨ領域を示すｅＰＤＣＣＨ情報を送信する送信ステップと、ｅＮＢ２００−２が、ｅＰＤＣＣＨ情報を受信する受信ステップと、を含む。
2014208351.tif 000002
【特許請求の範囲】
【請求項１】
時間方向に分割された複数のサブフレームにより無線フレームが構成され、前記複数のサブフレームのそれぞれは、周波数方向に分割された複数のリソースブロックを含む移動通信システムにおいて用いられる通信制御方法であって、
第１のセルを管理する第１の基地局が、前記複数のサブフレームのうち少なくとも１つにおいて、前記複数のリソースブロックのうち一部のリソースブロックからなる無線リソースを、前記第１のセルにおける下りリンク制御信号を送信するためのｅＰＤＣＣＨ領域として設定する設定ステップと、
前記第１の基地局が、第２のセルを管理する第２の基地局に対して、前記ｅＰＤＣＣＨ領域を示すｅＰＤＣＣＨ情報を送信する送信ステップと、
前記第２の基地局が、前記ｅＰＤＣＣＨ情報を受信する受信ステップと、を含むことを特徴とする通信制御方法。
【請求項２】
前記送信ステップにおいて、前記第１の基地局は、前記ｅＰＤＣＣＨ領域の設定更新時に、更新後の前記ｅＰＤＣＣＨ領域を示す前記ｅＰＤＣＣＨ情報を前記第２の基地局に送信することを特徴とする請求項１に記載の通信制御方法。
【請求項３】
前記ｅＰＤＣＣＨ情報は、前記ｅＰＤＣＣＨ領域として設定される無線リソースのリソース識別情報を含むことを特徴とする請求項１に記載の通信制御方法。
【請求項４】
前記ｅＰＤＣＣＨ領域は、前記第１のセル内で共通の下りリンク制御信号を送信するための共通領域を含み、
前記ｅＰＤＣＣＨ情報は、前記共通領域として設定される無線リソースのリソース識別情報を含むことを特徴とする請求項１に記載の通信制御方法。
【請求項５】
前記ｅＰＤＣＣＨ領域は、ユーザ端末個別の下りリンク制御信号を送信するための個別領域を含み、
前記ｅＰＤＣＣＨ情報は、前記個別領域として設定される無線リソースのリソース識別情報を含むことを特徴とする請求項１に記載の通信制御方法。
【請求項６】
前記ｅＰＤＣＣＨ領域は、前記下りリンク制御信号の送信先のユーザ端末に必要とされる誤り耐性に応じて区分された複数のサブ領域を含み、
前記ｅＰＤＣＣＨ情報は、前記複数のサブ領域のそれぞれのリソース識別情報を含むことを特徴とする請求項１に記載の通信制御方法。
【請求項７】
前記第１の基地局が、前記第１のセルに収容されるユーザ端末の数の変化、又は前記第１のセルに収容されるユーザ端末に必要とされる誤り耐性の変化に応じて、前記ｅＰＤＣＣＨ領域の設定を更新するステップをさらに含むことを特徴とする請求項２に記載の通信制御方法。
【請求項８】
前記第２の基地局が、前記ｅＰＤＣＣＨ情報に基づいて、前記第２のセルにおける下りリンク制御信号を送信するためのｅＰＤＣＣＨ領域を設定するステップをさらに含むことを特徴とする請求項１に記載の通信制御方法。
【請求項９】
前記第１の基地局が、前記第２のセルから前記第１のセルへのユーザ端末のハンドオーバの要求を前記第２の基地局から受信するステップをさらに含み、
前記送信ステップにおいて、前記第１の基地局は、前記ハンドオーバの要求に対する応答を行う際に、前記ｅＰＤＣＣＨ情報を前記第２の基地局に送信することを特徴とする請求項１に記載の通信制御方法。
【請求項１０】
前記第２の基地局が、前記第１のセルへのハンドオーバ指示を前記ユーザ端末に送信する際に、前記ｅＰＤＣＣＨ情報を前記ユーザ端末に通知するステップをさらに含むことを特徴とする請求項９に記載の通信制御方法。
【請求項１１】
時間方向に分割された複数のサブフレームにより無線フレームが構成され、前記複数のサブフレームのそれぞれは、周波数方向に分割された複数のリソースブロックを含む移動通信システムにおいて用いられる通信制御方法であって、
セルを管理する基地局が、前記複数のサブフレームのうち少なくとも１つにおいて、前記複数のリソースブロックのうち一部のリソースブロックからなる無線リソースを、前記セルにおける下りリンク制御信号を送信するためのｅＰＤＣＣＨ領域として設定する設定ステップと、
前記基地局が、前記ｅＰＤＣＣＨ領域と関連付けられた識別情報を送信する送信ステップと、
前記セルにおいてアイドル状態のユーザ端末が、前記識別情報を受信した後、前記識別情報に基づいて前記ｅＰＤＣＣＨ領域を特定する特定ステップと、を含むことを特徴とする通信制御方法。
【請求項１２】
前記ユーザ端末が、前記ｅＰＤＣＣＨ領域で送信される前記下りリンク制御信号を受信することにより前記セルとの接続を確立する確立ステップをさらに含むことを特徴とする請求項１１に記載の通信制御方法。
【請求項１３】
前記識別情報は、前記ｅＰＤＣＣＨ領域として設定される無線リソースを識別する情報であり、
前記送信ステップにおいて、前記基地局は、前記識別情報を含んだシステム情報を送信し、
前記特定ステップにおいて、前記ユーザ端末は、前記システム情報に含まれる前記識別情報を受信した後、前記識別情報により識別される無線リソースを前記ｅＰＤＣＣＨ領域として特定することを特徴とする請求項１１に記載の通信制御方法。
【請求項１４】
前記識別情報は、前記セルを識別する情報であり、
前記送信ステップにおいて、前記基地局は、前記識別情報を含んだ同期信号又は前記識別情報に応じてマッピングされた参照信号を送信し、
前記特定ステップにおいて、前記ユーザ端末は、前記同期信号又は前記参照信号により求められる前記識別情報から算出される無線リソースを前記ｅＰＤＣＣＨ領域として特定することを特徴とする請求項１１に記載の通信制御方法。
【請求項１５】
前記識別情報は、前記ｅＰＤＣＣＨ領域として設定される無線リソースを識別する情報であり、
前記送信ステップにおいて、前記基地局は、前記ｅＰＤＣＣＨ領域が設定されるサブフレームの先頭シンボルで前記識別情報を送信し、
前記特定ステップにおいて、前記ユーザ端末は、前記先頭シンボルで送信された前記識別情報を受信した後、前記識別情報により識別される無線リソースを、前記ｅＰＤＣＣＨ領域として特定することを特徴とする請求項１１に記載の通信制御方法。
【請求項１６】
前記識別情報は、前記ｅＰＤＣＣＨ領域を特定するためのフラグであり、
前記送信ステップにおいて、前記基地局は、前記ｅＰＤＣＣＨ領域内の特定の位置で前記識別情報を送信し、
前記特定ステップにおいて、前記ユーザ端末は、前記ｅＰＤＣＣＨ領域内の前記識別情報を受信した後、前記識別情報の位置に応じて前記ｅＰＤＣＣＨ領域を特定することを特徴とする請求項１１に記載の通信制御方法。
【請求項１７】
時間方向に分割された複数のサブフレームにより無線フレームが構成され、前記複数のサブフレームのそれぞれは、周波数方向に分割された複数のリソースブロックを含む移動通信システムにおいて用いられる通信制御方法であって、
セルを管理する基地局が、前記複数のサブフレームのうち少なくとも１つにおいて、前記複数のリソースブロックのうち一部のリソースブロックからなる無線リソースを、前記セル内で共通の下りリンク制御信号を送信するための共通ｅＰＤＣＣＨ領域として設定する設定ステップを含むことを特徴とする通信制御方法。
【請求項１８】
前記共通ｅＰＤＣＣＨ領域は、前記セル内で共通の下りリンク制御信号のみを送信するためのｅＰＤＣＣＨ領域であることを特徴とする請求項１７に記載の通信制御方法。
【請求項１９】
前記基地局が、前記共通ｅＰＤＣＣＨ領域と関連付けられた識別情報を含んだマスタ情報ブロックを送信する送信ステップと、
前記セルにおいてアイドル状態のユーザ端末が、前記マスタ情報ブロックに含まれる前記識別情報を受信した後、前記識別情報に基づいて前記共通ｅＰＤＣＣＨ領域を特定する特定ステップと、をさらに含むことを特徴とする請求項１７に記載の通信制御方法。
【請求項２０】
前記基地局が、前記共通ｅＰＤＣＣＨ領域に適用する送信指向性を変化させながら、前記セル内で共通の下りリンク制御信号を送信する送信ステップをさらに含むことを特徴とする請求項１７に記載の通信制御方法。
【請求項２１】
前記設定ステップにおいて、前記基地局は、前記複数のサブフレームのうち少なくとも１つにおいて、第１のリソースブロックと、前記第１のリソースブロックと周波数方向に離間して設けられた第２のリソースブロックと、からなる無線リソースを、前記共通ｅＰＤＣＣＨ領域として設定することを特徴とする請求項１７に記載の通信制御方法。
【請求項２２】
前記設定ステップにおいて、前記基地局は、所定のホッピングパターンにより前記共通ｅＰＤＣＣＨ領域がサブフレームごとに周波数ホッピングするように、前記共通ｅＰＤＣＣＨ領域として設定するリソースブロックを変化させることを特徴とする請求項１７に記載の通信制御方法。
【請求項２３】
前記複数のサブフレームのそれぞれは、時間方向に分割された第１のスロット及び第２のスロットを含み、
前記設定ステップにおいて、前記基地局は、前記共通ｅＰＤＣＣＨ領域として設定するリソースブロックを前記第１のスロット及び前記第２のスロットで異ならせることを特徴とする請求項１７に記載の通信制御方法。
【発明の詳細な説明】
【技術分野】
【０００１】
本発明は、新たなキャリア構造が導入される移動通信システムにおいて用いられる通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）では、時間方向に分割された複数のサブフレームにより無線フレームが構成され、複数のサブフレームのそれぞれは、周波数方向に分割された複数のリソースブロックを含む（例えば非特許文献１参照）。【０００３】
ＬＴＥの下りリンクのキャリア構造として、複数のサブフレームのそれぞれには、下りリンク制御信号を送信するための物理下りリンク制御チャネル（ＰＤＣＣＨ）領域が設けられる。具体的には、ＰＤＣＣＨ領域は、サブフレームの先頭数シンボルの区間において、全てのリソースブロックに亘って設けられる領域である。【０００４】
また、３ＧＰＰでは、従来型のキャリア構造とは異なる新たなキャリア構造（ＮＣＴ：Ｎｅｗ  Ｃａｒｒｉｅｒ  Ｔｙｐｅ）を導入することが検討されている。
【先行技術文献】
【非特許文献】
【０００５】
【非特許文献１】３ＧＰＰ技術仕様書  「ＴＳ３６．３００  Ｖ１１．５．０」  ２    ０１３年３月
【発明の概要】
【０００６】
ＮＣＴの一つとして、少なくとも１つのサブフレームにおいて、そのサブフレームに含まれる複数のリソースブロックのうち一部のリソースブロックからなる無線リソースを、下りリンク制御信号を送信するためのｅＰＤＣＣＨ（ｅｎｈａｎｃｅｄ  ＰＤＣＣＨ）領域として設定することが想定される。
【０００７】
しかしながら、現状の仕様においては、ｅＰＤＣＣＨ領域を適切に取り扱うための仕組みが存在しないという問題がある。
【０００８】
そこで、本発明は、ｅＰＤＣＣＨ領域を適切に取り扱うことが可能な通信制御方法を提供することを目的とする。
【課題を解決するための手段】
【０００９】
第１の特徴に係る通信制御方法は、時間方向に分割された複数のサブフレームにより無線フレームが構成され、前記複数のサブフレームのそれぞれは、周波数方向に分割された複数のリソースブロックを含む移動通信システムにおいて用いられる。前記通信制御方法は、第１のセルを管理する第１の基地局が、前記複数のサブフレームのうち少なくとも１つにおいて、前記複数のリソースブロックのうち一部のリソースブロックからなる無線リソースを、前記第１のセルにおける下りリンク制御信号を送信するためのｅＰＤＣＣＨ領域として設定する設定ステップと、前記第１の基地局が、第２のセルを管理する第２の基地局に対して、前記ｅＰＤＣＣＨ領域を示すｅＰＤＣＣＨ情報を送信する送信ステップと、前記第２の基地局が、前記ｅＰＤＣＣＨ情報を受信する受信ステップと、を含む。【００１０】
第２の特徴に係る通信制御方法は、時間方向に分割された複数のサブフレームにより無線フレームが構成され、前記複数のサブフレームのそれぞれは、周波数方向に分割された複数のリソースブロックを含む移動通信システムにおいて用いられる。前記通信制御方法は、セルを管理する基地局が、前記複数のサブフレームのうち少なくとも１つにおいて、前記複数のリソースブロックのうち一部のリソースブロックからなる無線リソースを、前記セルにおける下りリンク制御信号を送信するためのｅＰＤＣＣＨ領域として設定する設定ステップと、前記基地局が、前記ｅＰＤＣＣＨ領域と関連付けられた識別情報を送信する送信ステップと、前記セルにおいてアイドル状態のユーザ端末が、前記識別情報を受信した後、前記識別情報に基づいて前記ｅＰＤＣＣＨ領域を特定する特定ステップと、を含む。【００１１】
第３の特徴に係る通信制御方法は、時間方向に分割された複数のサブフレームにより無線フレームが構成され、前記複数のサブフレームのそれぞれは、周波数方向に分割された複数のリソースブロックを含む移動通信システムにおいて用いられる。前記通信制御方法は、セルを管理する基地局が、前記複数のサブフレームのうち少なくとも１つにおいて、前記複数のリソースブロックのうち一部のリソースブロックからなる無線リソースを、前記セル内で共通の下りリンク制御信号を送信するための共通ｅＰＤＣＣＨ領域として設定する設定ステップを含む。【００１２】
本発明によれば、ｅＰＤＣＣＨ領域を適切に取り扱うことが可能な通信制御方法、基地局、及びユーザ端末を提供できる。
【図面の簡単な説明】
【００１３】
【図１】図１は、第１実施形態乃至第６実施形態に係るＬＴＥシステムの構成図である。
【図２】図２は、第１実施形態乃至第６実施形態に係るＵＥのブロック図である。
【図３】図３は、第１実施形態乃至第６実施形態に係るｅＮＢのブロック図である。
【図４】図４は、第１実施形態乃至第６実施形態に係る無線インターフェイスのプロトコルスタック図である。
【図５】図５は、第１実施形態乃至第６実施形態に係る無線フレームの構成図である。
【図６】図６は、ｅＰＤＣＣＨの適用シーン１を説明するための図である。
【図７】図７は、ｅＰＤＣＣＨの適用シーン２を説明するための図である。
【図８】図８は、第１実施形態に係る隣接ｅＮＢに対するｅＰＤＣＣＨ領域通知方法を説明するための図である。
【図９】図９は、第１実施形態に係るｅＰＤＣＣＨ情報の構成例を説明するための図である。
【図１０】図１０は、第１実施形態に係るｅＰＤＣＣＨ情報の利用例を説明するための図である。
【図１１】図１１は、第１実施形態に係る動作パターン１及び２を説明するための図である。
【図１２】図１２は、第１実施形態に係る動作パターン３を説明するための図である。
【図１３】図１３は、第１実施形態に係る動作パターン４を説明するための図である。
【図１４】図１４は、第１実施形態に係る動作パターン４を説明するための図である。
【図１５】図１５は、第３実施形態に係るｅＰＤＣＣＨ領域の設定パターンを説明するための図である。
【図１６】図１６は、第３実施形態に係るｅＰＤＣＣＨ領域の設定パターンを説明するための図である。
【図１７】図１７は、第３実施形態に係るｅＰＤＣＣＨ領域の設定パターンを説明するための図である。
【図１８】図１８は、第３実施形態に係るｅＰＤＣＣＨ情報の構成例１を説明するための図である。
【図１９】図１９は、第３実施形態に係るｅＰＤＣＣＨ情報の構成例２を説明するための図である。
【図２０】図２０は、第３実施形態に係るｅＰＤＣＣＨ情報の構成例２を説明するための図である。
【図２１】図２１は、第３実施形態に係るｅＰＤＣＣＨ情報の利用例を説明するための図である。
【図２２】図２２は、第４実施形態に係るｅＰＤＣＣＨ領域の更新方法１のフロー図である。
【図２３】図２３は、第４実施形態に係るｅＰＤＣＣＨ領域の更新方法２のフロー図である。
【図２４】図２４は、一般的なハンドオーバ手順を示すシーケンス図である。
【図２５】図２５は、第５実施形態に係るｅＮＢの動作フロー図である。
【図２６】図２６は、第５実施形態に係るｅＮＢの動作フロー図である。
【図２７】図２７は、第６実施形態に係るｅＮＢの動作パターン１を説明するための図である。
【図２８】図２８は、第６実施形態に係るｅＮＢの動作パターン２を説明するための図である。
【図２９】図２９は、第６実施形態に係るｅＮＢの動作パターン３を説明するための図である。
【図３０】図３０は、第６実施形態に係るｅＮＢの動作パターン３を説明するための図である。
【図３１】図３１は、第６実施形態に係るｅＮＢの動作パターン４を説明するための図である。
【発明を実施するための形態】
【００１４】
［実施形態の概要］
実施形態に係る通信制御方法は、時間方向に分割された複数のサブフレームにより無線フレームが構成され、前記複数のサブフレームのそれぞれは、周波数方向に分割された複数のリソースブロックを含む移動通信システムにおいて用いられる。前記通信制御方法は、第１のセルを管理する第１の基地局が、前記複数のサブフレームのうち少なくとも１つにおいて、前記複数のリソースブロックのうち一部のリソースブロックからなる無線リソースを、前記第１のセルにおける下りリンク制御信号を送信するためのｅＰＤＣＣＨ領域として設定する設定ステップと、前記第１の基地局が、第２のセルを管理する第２の基地局に対して、前記ｅＰＤＣＣＨ領域を示すｅＰＤＣＣＨ情報を送信する送信ステップと、前記第２の基地局が、前記ｅＰＤＣＣＨ情報を受信する受信ステップと、を含む。
【００１５】
実施形態では、前記送信ステップにおいて、前記第１の基地局は、前記ｅＰＤＣＣＨ領域の設定更新時に、更新後の前記ｅＰＤＣＣＨ領域を示す前記ｅＰＤＣＣＨ情報を前記第２の基地局に送信する。
【００１６】
実施形態では、前記ｅＰＤＣＣＨ情報は、前記ｅＰＤＣＣＨ領域として設定される無線リソースのリソース識別情報を含む。
【００１７】
実施形態では、前記ｅＰＤＣＣＨ領域は、前記第１のセル内で共通の下りリンク制御信号を送信するための共通領域を含む。前記ｅＰＤＣＣＨ情報は、前記共通領域として設定される無線リソースのリソース識別情報を含む。
【００１８】
実施形態では、前記ｅＰＤＣＣＨ領域は、ユーザ端末個別の下りリンク制御信号を送信するための個別領域を含む。前記ｅＰＤＣＣＨ情報は、前記個別領域として設定される無線リソースのリソース識別情報を含む。
【００１９】
実施形態では、前記ｅＰＤＣＣＨ領域は、前記下りリンク制御信号の送信先のユーザ端末に必要とされる誤り耐性に応じて区分された複数のサブ領域を含む。前記ｅＰＤＣＣＨ情報は、前記複数のサブ領域のそれぞれのリソース識別情報を含む。
【００２０】
実施形態では、前記通信制御方法は、前記第１の基地局が、前記第１のセルに収容されるユーザ端末の数の変化、又は前記第１のセルに収容されるユーザ端末に必要とされる誤り耐性の変化に応じて、前記ｅＰＤＣＣＨ領域の設定を更新するステップをさらに含む。
【００２１】
実施形態では、前記通信制御方法は、前記第２の基地局が、前記ｅＰＤＣＣＨ情報に基づいて、前記第２のセルにおける下りリンク制御信号を送信するためのｅＰＤＣＣＨ領域を設定するステップをさらに含む。
【００２２】
実施形態では、前記通信制御方法は、前記第１の基地局が、前記第２のセルから前記第１のセルへのユーザ端末のハンドオーバの要求を前記第２の基地局から受信するステップをさらに含む。前記送信ステップにおいて、前記第１の基地局は、前記ハンドオーバの要求に対する応答を行う際に、前記ｅＰＤＣＣＨ情報を前記第２の基地局に送信する。
【００２３】
実施形態では、前記通信制御方法は、前記第２の基地局が、前記第１のセルへのハンドオーバ指示を前記ユーザ端末に送信する際に、前記ｅＰＤＣＣＨ情報を前記ユーザ端末に通知するステップをさらに含む。
【００２４】
実施形態に係る通信制御方法は、時間方向に分割された複数のサブフレームにより無線フレームが構成され、前記複数のサブフレームのそれぞれは、周波数方向に分割された複数のリソースブロックを含む移動通信システムにおいて用いられる。前記通信制御方法は、セルを管理する基地局が、前記複数のサブフレームのうち少なくとも１つにおいて、前記複数のリソースブロックのうち一部のリソースブロックからなる無線リソースを、前記セルにおける下りリンク制御信号を送信するためのｅＰＤＣＣＨ領域として設定する設定ステップと、前記基地局が、前記ｅＰＤＣＣＨ領域と関連付けられた識別情報を送信する送信ステップと、前記セルにおいてアイドル状態のユーザ端末が、前記識別情報を受信した後、前記識別情報に基づいて前記ｅＰＤＣＣＨ領域を特定する特定ステップと、を含む。
【００２５】
実施形態では、前記通信制御方法は、前記ユーザ端末が、前記ｅＰＤＣＣＨ領域で送信される前記下りリンク制御信号を受信することにより前記セルとの接続を確立する確立ステップをさらに含む。
【００２６】
実施形態では、前記識別情報は、前記ｅＰＤＣＣＨ領域として設定される無線リソースを識別する情報である。前記送信ステップにおいて、前記基地局は、前記識別情報を含んだシステム情報を送信する。前記特定ステップにおいて、前記ユーザ端末は、前記システム情報に含まれる前記識別情報を受信した後、前記識別情報により識別される無線リソースを前記ｅＰＤＣＣＨ領域として特定する。
【００２７】
実施形態では、前記識別情報は、前記セルを識別する情報である。前記送信ステップにおいて、前記基地局は、前記識別情報を含んだ同期信号又は前記識別情報に応じてマッピングされた参照信号を送信する。前記特定ステップにおいて、前記ユーザ端末は、前記同期信号又は前記参照信号により求められる前記識別情報から算出される無線リソースを前記ｅＰＤＣＣＨ領域として特定する。
【００２８】
実施形態では、前記識別情報は、前記ｅＰＤＣＣＨ領域として設定される無線リソースを識別する情報である。前記送信ステップにおいて、前記基地局は、前記ｅＰＤＣＣＨ領域が設定されるサブフレームの先頭シンボルで前記識別情報を送信する。前記特定ステップにおいて、前記ユーザ端末は、前記先頭シンボルで送信された前記識別情報を受信した後、前記識別情報により識別される無線リソースを、前記ｅＰＤＣＣＨ領域として特定する。
【００２９】
実施形態では、前記識別情報は、前記ｅＰＤＣＣＨ領域を特定するためのフラグである。前記送信ステップにおいて、前記基地局は、前記ｅＰＤＣＣＨ領域内の特定の位置で前記識別情報を送信する。前記特定ステップにおいて、前記ユーザ端末は、前記ｅＰＤＣＣＨ領域内の前記識別情報を受信した後、前記識別情報の位置に応じて前記ｅＰＤＣＣＨ領域を特定する。
【００３０】
実施形態に係る通信制御方法は、時間方向に分割された複数のサブフレームにより無線フレームが構成され、前記複数のサブフレームのそれぞれは、周波数方向に分割された複数のリソースブロックを含む移動通信システムにおいて用いられる。前記通信制御方法は、セルを管理する基地局が、前記複数のサブフレームのうち少なくとも１つにおいて、前記複数のリソースブロックのうち一部のリソースブロックからなる無線リソースを、前記セル内で共通の下りリンク制御信号を送信するための共通ｅＰＤＣＣＨ領域として設定する設定ステップを含む。
【００３１】
実施形態では、前記共通ｅＰＤＣＣＨ領域は、前記セル内で共通の下りリンク制御信号のみを送信するためのｅＰＤＣＣＨ領域である。
【００３２】
実施形態では、前記通信制御方法は、前記基地局が、前記共通ｅＰＤＣＣＨ領域と関連付けられた識別情報を含んだマスタ情報ブロックを送信する送信ステップと、前記セルにおいてアイドル状態のユーザ端末が、前記マスタ情報ブロックに含まれる前記識別情報を受信した後、前記識別情報に基づいて前記共通ｅＰＤＣＣＨ領域を特定する特定ステップと、をさらに含む。
【００３３】
実施形態では、前記通信制御方法は、前記基地局が、前記共通ｅＰＤＣＣＨ領域に適用する送信指向性を変化させながら、前記セル内で共通の下りリンク制御信号を送信する送信ステップをさらに含む。
【００３４】
実施形態では、前記設定ステップにおいて、前記基地局は、前記複数のサブフレームのうち少なくとも１つにおいて、第１のリソースブロックと、前記第１のリソースブロックと周波数方向に離間して設けられた第２のリソースブロックと、からなる無線リソースを、前記共通ｅＰＤＣＣＨ領域として設定する。
【００３５】
実施形態では、前記設定ステップにおいて、前記基地局は、所定のホッピングパターンにより前記共通ｅＰＤＣＣＨ領域がサブフレームごとに周波数ホッピングするように、前記共通ｅＰＤＣＣＨ領域として設定するリソースブロックを変化させる。
【００３６】
実施形態では、前記複数のサブフレームのそれぞれは、時間方向に分割された第１のスロット及び第２のスロットを含む。前記設定ステップにおいて、前記基地局は、前記共通ｅＰＤＣＣＨ領域として設定するリソースブロックを前記第１のスロット及び前記第２のスロットで異ならせる。
【００３７】
［第１実施形態］
以下において、本発明をＬＴＥシステムに適用する場合の実施形態を説明する。
【００３８】
（システム構成）
図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３９】
ＵＥ１００は、ユーザ端末に相当する。ＵＥ１００は、移動型の通信装置であり、接続先のセル（サービングセル）との無線通信を行う。ＵＥ１００の構成については後述する。
【００４０】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００４１】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００４２】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。ＳＧＷは、ユーザデータの転送制御を行う。ＭＭＥ／Ｓ−ＧＷ３００は、Ｓ１インターフェイスを介してｅＮＢ２００と接続される。
【００４３】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）を、制御部を構成するプロセッサ１６０’としてもよい。
【００４４】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００４５】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４６】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４７】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。なお、メモリ２３０をプロセッサ２４０と一体化し、このセット（すなわち、チップセット）を、制御部を構成するプロセッサとしてもよい。
【００４８】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００４９】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００５０】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５１】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５２】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００５３】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００５４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５５】
ＰＤＣＰ層は、ヘッダ圧縮・伸張、及び暗号化・復号化を行う。
【００５６】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００５７】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５８】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５９】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００６０】
ＵＥ１００に割り当てられる無線リソースのうち、周波数リソースはリソースブロックにより構成され、時間リソースはサブフレーム（又はスロット）により構成される。
【００６１】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００６２】
上りリンクにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００６３】
（ＮＣＴ）
上述したように、ＬＴＥの下りリンクのキャリア構造として、複数のサブフレームのそれぞれには、下りリンク制御信号を送信するためのＰＤＣＣＨ領域が設けられる。具体的には、ＰＤＣＣＨ領域は、サブフレームの先頭数シンボルの区間において、全てのリソースブロックに亘って設けられる領域である。
【００６４】
一方で、３ＧＰＰでは、従来型のキャリア構造とは異なる新たなキャリア構造（ＮＣＴ）を導入することが検討されている。複数のコンポーネントキャリア（ＣＣ）を束ねて通信に使用するキャリアアグリゲーションにおいて、プライマリ・コンポーネントキャリア（ＰＣＣ）にＮＣＴが適用されるケースと、セカンダリ・コンポーネントキャリア（ＳＣＣ）にＮＣＴが適用されるケースとがある。
【００６５】
プライマリ・コンポーネントキャリア（ＰＣＣ）にＮＣＴが適用されるケースは、スタンドアローンＮＣＴと称される。第１実施形態では、スタンドアローンＮＣＴを主として想定する。
【００６６】
また、第１実施形態では、ｅＮＢ２００は、少なくとも１つのサブフレームにおいて、そのサブフレームに含まれる複数のリソースブロックのうち一部のリソースブロックからなる無線リソースを、下りリンク制御信号を送信するためのｅＰＤＣＣＨ（ｅｎｈａｎｃｅｄ  ＰＤＣＣＨ）領域として設定する。
【００６７】
このように、１キャリア（コンポーネントキャリア）内の全てのリソースブロックに亘って設けられる従来型のＰＤＣＣＨ領域とは異なり、ｅＰＤＣＣＨ領域は、一部のリソースブロックにおいてのみ設けられる。また、サブフレームの先頭数シンボルの区間においてのみ設けられる従来型のＰＤＣＣＨ領域とは異なり、ｅＰＤＣＣＨ領域は、サブフレーム内の全てのシンボルに亘って設けることが可能である。
【００６８】
図６は、ｅＰＤＣＣＨの適用シーン１を説明するための図である。
【００６９】
図６に示すように、マクロセルを管理するｅＮＢ２００−１は、従来型のＰＤＣＣＨ領域を設定する。一方、小セルを管理するｅＮＢ２００−２は、実施形態に係るｅＰＤＣＣＨ領域を設定する。ｅＮＢ２００−１は、ｅＮＢ２００−２が設定するｅＰＤＣＣＨ領域に対応する無線リソースの使用を規制している。また、ｅＮＢ２００−２は、ｅＮＢ２００−１が設定するＰＤＣＣＨ領域に対応する無線リソースの使用を規制している。これにより、ＰＤＣＣＨ領域とｅＰＤＣＣＨ領域との間で干渉が生じることを防止できるため、ｅＮＢ２００−１から強い干渉を受けるｅＮＢ２００−２が、自セル内のＵＥ１００に対して下りリンク制御信号を良好に送信可能になる。
【００７０】
図７は、ｅＰＤＣＣＨの適用シーン２を説明するための図である。
【００７１】
図７に示すように、セルを管理するｅＮＢ２００は、ｅＰＤＣＣＨ領域を設定する。ｅＮＢ２００は、下りリンク・マルチアンテナ伝送によりｅＰＤＣＣＨ領域とＰＤＳＣＨ領域とを空間的に多重（レイヤ多重）しており、ｅＰＤＣＣＨ領域において下りリンク制御信号をＵＥ１００に送信する。これにより、従来型キャリアに比べて、下りリンクのユーザデータが割り当てられるＰＤＳＣＨ領域を増加させることができる。
【００７２】
（隣接ｅＮＢに対するｅＰＤＣＣＨ領域通知方法）
次に、第１実施形態に係る隣接ｅＮＢ２００に対するｅＰＤＣＣＨ領域通知方法を説明する。
【００７３】
ｅＰＤＣＣＨ領域通知方法は、第１のセルを管理するｅＮＢ２００−１（第１の基地局）が、複数のサブフレームのうち少なくとも１つにおいて、複数のリソースブロックのうち一部のリソースブロックからなる無線リソースを、第１のセルにおける下りリンク制御信号を送信するためのｅＰＤＣＣＨ領域として設定する設定ステップと、ｅＮＢ２００−１が、第２のセルを管理するｅＮＢ２００−２（第２の基地局）に対して、ｅＰＤＣＣＨ領域を示すｅＰＤＣＣＨ情報を送信する送信ステップと、ｅＮＢ２００−２が、ｅＰＤＣＣＨ情報を受信する受信ステップと、を含む。第１実施形態では、第２のセルとは、第１のセルに隣接するセルである。
【００７４】
このように、第１実施形態では、隣接セル間でｅＰＤＣＣＨ領域の情報を共有することにより、干渉を回避できるようｅＰＤＣＣＨ領域を設定可能にする。
【００７５】
図８は、第１実施形態に係る、隣接ｅＮＢに対するｅＰＤＣＣＨ領域通知方法を説明するための図である。
【００７６】
図８に示すように、第１のセルを管理するｅＮＢ２００−１は、第１のセルにおいて下りリンク制御信号を送信するためのｅＰＤＣＣＨ領域を設定する。ｅＮＢ２００−１は、第１のセルに隣接する第２のセルを管理するｅＮＢ２００−２に対して、ｅＰＤＣＣＨ領域を示すｅＰＤＣＣＨ情報を送信する。ｅＰＤＣＣＨ情報は、Ｘ２インターフェイス上で送信される。ｅＰＤＣＣＨ情報は、Ｘ２インターフェイス上で送信されるｅＮＢ  Ｃｏｎｆｉｇｕｒａｔｉｏｎ  Ｕｐｄａｔｅメッセージの情報要素としてもよい。或いは、ｅＰＤＣＣＨ情報は、Ｓ１インターフェイス上で送信されてもよい。ｅＮＢ２００−２は、ｅＰＤＣＣＨ情報を受信する。これにより、ｅＮＢ２００−２は、ｅＮＢ２００−１（第１のセル）で設定されるｅＰＤＣＣＨ領域を把握できる。
【００７７】
図９は、第１実施形態に係るｅＰＤＣＣＨ情報の構成例を説明するための図である。
【００７８】
図９に示すように、ｅＰＤＣＣＨ情報は、ｅＰＤＣＣＨ領域を設定する第１のセルの識別子（セルＩＤ）と、当該ｅＰＤＣＣＨ領域として設定される無線リソースのリソース識別情報と、を含む。リソース識別情報は、ｅＰＤＣＣＨ領域として設定される周波数リソースの識別情報と、ｅＰＤＣＣＨ領域として設定される時間リソースの識別情報と、を含む。周波数リソースの識別情報とは、例えばリソースブロック番号である。時間リソースの識別情報とは、例えば無線フレーム番号（ＳＦＮ：Ｓｙｓｔｅｍ  Ｆｒａｍｅ  Ｎｕｍｂｅｒ）及びサブフレーム番号である。
【００７９】
図１０は、第１実施形態に係るｅＰＤＣＣＨ情報の利用例を説明するための図である。
【００８０】
図１０に示すように、第１のセルを管理するｅＮＢ２００−１と、第１のセルに隣接する第２のセルを管理するｅＮＢ２００−２と、第１のセル及び第２のセルに隣接する第３のセルを管理するｅＮＢ２００−３と、が設置されている。各ｅＮＢ２００は、自セルで設定するｅＰＤＣＣＨ領域についてのｅＰＤＣＣＨ情報を他のｅＮＢ２００に送信する。そして、各ｅＮＢ２００は、受信したｅＰＤＣＣＨ情報に基づいて、他のｅＮＢ２００−１が設定するｅＰＤＣＣＨ領域とは重複しない無線リソースを、自セルにおけるｅＰＤＣＣＨ領域として設定する。図１０の例では、同一のサブフレームにおいてｅＮＢ２００ごとに異なるリソースブロックがｅＰＤＣＣＨ領域として設定されている。これにより、ｅＰＤＣＣＨ領域の干渉を回避し、各セルにおいて下りリンク制御信号を良好に送信できる。
【００８１】
各ｅＮＢ２００は、自セルで設定するｅＰＤＣＣＨ領域を更新してもよい。例えば、各ｅＮＢ２００は、ｅＰＤＣＣＨ領域として設定する無線リソースを変更する。各ｅＮＢ２００は、ｅＰＤＣＣＨ領域の設定更新時に、更新後のｅＰＤＣＣＨ領域を示すｅＰＤＣＣＨ情報を他のｅＮＢ２００に送信してもよい。
【００８２】
（ＵＥに対するｅＰＤＣＣＨ領域通知方法）
次に、第１実施形態に係るＵＥ１００に対するｅＰＤＣＣＨ領域通知方法を説明する。
【００８３】
ｅＰＤＣＣＨ領域通知方法は、セルを管理するｅＮＢ２００が、複数のサブフレームのうち少なくとも１つにおいて、複数のリソースブロックのうち一部のリソースブロックからなる無線リソースを、セルにおける下りリンク制御信号を送信するためのｅＰＤＣＣＨ領域として設定する設定ステップと、ｅＮＢ２００が、ｅＰＤＣＣＨ領域と関連付けられた識別情報（以下、「ｅＰＤＣＣＨ識別情報」という）を送信する送信ステップと、セルにおいてアイドル状態のＵＥ１００が、ｅＰＤＣＣＨ識別情報を受信した後、ｅＰＤＣＣＨ識別情報に基づいてｅＰＤＣＣＨ領域を特定する特定ステップと、を含む。第１実施形態では、ＵＥ１００は、特定したｅＰＤＣＣＨ領域で送信される下りリンク制御信号を受信することによりセルとの接続を確立する。
【００８４】
このように、セル（サービングセル）においてアイドル状態のＵＥ１００は、サービングセルから受信するｅＰＤＣＣＨ識別情報に基づいて、ｅＰＤＣＣＨ領域の位置、すなわちｅＰＤＣＣＨ領域として設定されている無線リソースを特定できる。そして、ＵＥ１００は、下りリンク制御信号を受信することによりセルとの接続を確立できる。
【００８５】
第１実施形態では、ｅＰＤＣＣＨ識別情報を送信するパターンとして以下の動作パターン１乃至４がある。
【００８６】
動作パターン１では、ｅＰＤＣＣＨ識別情報は、ｅＰＤＣＣＨ領域として設定される無線リソースを識別する情報である。送信ステップにおいて、ｅＮＢ２００は、ｅＰＤＣＣＨ識別情報を含んだシステム情報を送信する。システム情報とは、マスタ情報ブロック（ＭＩＢ）又はシステム情報ブロック（ＳＩＢ）である。特定ステップにおいて、ＵＥ１００は、システム情報に含まれるｅＰＤＣＣＨ識別情報を受信した後、ｅＰＤＣＣＨ識別情報により識別される無線リソースをｅＰＤＣＣＨ領域として特定する。
【００８７】
動作パターン２では、ｅＰＤＣＣＨ識別情報は、セルを識別する情報（すなわち、セルＩＤ）である。送信ステップにおいて、ｅＮＢ２００は、セルＩＤを含んだ同期信号又はセルＩＤに応じてマッピングされた参照信号を送信する。第１実施形態では、同期信号とは、プライマリ同期信号（ＰＳＳ）又はセカンダリ同期信号（ＳＳＳ）である。また、参照信号とは、セル固有参照信号（ＣＲＳ）である。特定ステップにおいて、ＵＥ１００は、同期信号又は参照信号により求められるセルＩＤから算出される無線リソースをｅＰＤＣＣＨ領域として特定する。
【００８８】
動作パターン３では、ｅＰＤＣＣＨ識別情報は、ｅＰＤＣＣＨ領域として設定される無線リソースを識別する情報である。送信ステップにおいて、ｅＮＢ２００は、ｅＰＤＣＣＨ領域が設定されるサブフレームの先頭シンボルでｅＰＤＣＣＨ識別情報を送信する。特定ステップにおいて、ＵＥ１００は、先頭シンボルで送信されたｅＰＤＣＣＨ識別情報を受信した後、ｅＰＤＣＣＨ識別情報により識別される無線リソースを、ｅＰＤＣＣＨ領域として特定する。
【００８９】
動作パターン４では、ｅＰＤＣＣＨ識別情報は、ｅＰＤＣＣＨ領域を特定するためのフラグ（以下、「ｅＰＤＣＣＨ判定フラグ」という）である。送信ステップにおいて、ｅＮＢ２００は、ｅＰＤＣＣＨ領域内の特定の位置でｅＰＤＣＣＨ判定フラグを送信する。特定ステップにおいて、ＵＥ１００は、ｅＰＤＣＣＨ領域内のｅＰＤＣＣＨ判定フラグを受信した後、ｅＰＤＣＣＨ判定フラグの位置に応じてｅＰＤＣＣＨ領域を特定する。
【００９０】
図１１は、第１実施形態に係る動作パターン１及び２を説明するための図である。図１１は、サブフレームに含まれるＰＳＳ、ＳＳＳ、及びＭＩＢの構成を示す。
【００９１】
図１１に示すように、ＰＳＳ、ＳＳＳ、及びＭＩＢを送信する周波数帯は、キャリア内の中央の６リソースブロックと規定されている。ＰＳＳは、５サブフレーム毎に、前半スロットの最後のＯＦＤＭシンボルにマッピングされる。ＳＳＳは、ＰＳＳと同じスロットの最後から２番目（すなわちＰＳＳの直前）のＯＦＤＭシンボルにマッピングされる。ＭＩＢは、１０サブフレーム（１無線フレーム）毎に、後半スロットの先頭から４ＯＦＤＭシンボルにマッピングされる。また、各サブフレームにおいて、ＣＲＳは、分散したリソースエレメントにマッピングされる。
【００９２】
動作パターン１では、ｅＮＢ２００は、ｅＰＤＣＣＨ領域として設定される無線リソースを識別するｅＰＤＣＣＨ識別情報を含んだＭＩＢを送信する。アイドル状態のＵＥ１００は、ＭＩＢを受信し、ＭＩＢに含まれるｅＰＤＣＣＨ識別情報により識別される無線リソースをｅＰＤＣＣＨ領域として特定する。動作パターン１では、ｅＰＤＣＣＨ識別情報は、ｅＰＤＣＣＨ領域として設定される周波数リソースの識別情報と、ｅＰＤＣＣＨ領域として設定される時間リソースの識別情報と、を含む。周波数リソースの識別情報とは、例えばリソースブロック番号である。時間リソースの識別情報とは、例えば無線フレーム番号及びサブフレーム番号である。
【００９３】
動作パターン２では、ｅＮＢ２００は、セルＩＤを含んだＰＳＳ／ＳＳＳと、セルＩＤに応じてマッピングされたＣＲＳと、を送信する。ＵＥ１００は、ＰＳＳ／ＳＳＳ又はＣＲＳを受信し、ＰＳＳ／ＳＳＳ又はＣＲＳにより求められるセルＩＤから算出される無線リソースをｅＰＤＣＣＨ領域として特定する。
【００９４】
図１２は、第１実施形態に係る動作パターン３を説明するための図である。
【００９５】
図１２に示すように、ｅＮＢ２００は、ｅＰＤＣＣＨ領域が設定されるサブフレームの先頭シンボル（０シンボル目）でｅＰＤＣＣＨ識別情報を送信する。ＵＥ１００は、先頭シンボルで送信されたｅＰＤＣＣＨ識別情報を受信した後、ｅＰＤＣＣＨ識別情報により識別される無線リソースを、ｅＰＤＣＣＨ領域として特定する。動作パターン３では、ｅＰＤＣＣＨ識別情報は、ｅＰＤＣＣＨ領域として設定される周波数リソースの識別情報を含む。周波数リソースの識別情報とは、例えばリソースブロック番号である。
【００９６】
図１３及び図１４は、第１実施形態に係る動作パターン４を説明するための図である。
【００９７】
図１３に示すように、ｅＮＢ２００は、ｅＰＤＣＣＨ領域内の特定の位置でｅＰＤＣＣＨ判定フラグを送信する。ｅＰＤＣＣＨ判定フラグは、例えば予め規定された信号系列からなる。ＵＥ１００は、ｅＰＤＣＣＨ領域内のｅＰＤＣＣＨ判定フラグを全探索により検出し、ｅＰＤＣＣＨ判定フラグの位置に応じてｅＰＤＣＣＨ領域を特定する。図１４に示すように、複数サブフレームで１つのｅＰＤＣＣＨ判定フラグを構成してもよい。
【００９８】
［第２実施形態］
第２実施形態について、第１実施形態との相違点を主として説明する。
【００９９】
第１実施形態では、ｅＰＤＣＣＨ領域において送信される下りリンク制御信号の内容について特に触れなかった。
【０１００】
第２実施形態では、ｅＰＤＣＣＨ領域において送信される下りリンク制御信号は、セル内で共通の下りリンク制御信号（以下、「共通下りリンク制御信号」という）である。また、以下において、共通下りリンク制御信号を送信するためのｅＰＤＣＣＨ領域を「共通ｅＰＤＣＣＨ領域」という。第２実施形態では、共通ｅＰＤＣＣＨ領域は、共通下りリンク制御信号のみを送信するためのｅＰＤＣＣＨ領域である。
【０１０１】
このように、共通ｅＰＤＣＣＨ領域を設けることにより、共通ｅＰＤＣＣＨ領域として設定される無線リソースを複数のＵＥ１００で共有できるため、無線リソースの利用効率を向上させることができる。
【０１０２】
共通下りリンク制御信号は、例えば、システム情報（ＳＩ）及びページング情報を含む。ＳＩは、セル内の全ＵＥ１００に同一タイミングで同一の情報を送信するものであり、セル内の全ＵＥ１００が受信できる必要がある。ＳＩは、ランダムアクセスに関する情報を含む。ページング情報は、セル内の全ＵＥ１００に同一タイミングで同一の情報を送信するものであるが、ページング対象のＵＥ１００が受信できればよい。
【０１０３】
第２実施形態では、第１実施形態で説明した動作パターン１により共通ｅＰＤＣＣＨ領域をＵＥ１００に通知することが好ましい。具体的には、ｅＮＢ２００は、共通ｅＰＤＣＣＨ領域として設定される無線リソースを識別するｅＰＤＣＣＨ識別情報を含んだＭＩＢを送信する。ＵＥ１００は、ＭＩＢを受信し、ＭＩＢに含まれるｅＰＤＣＣＨ識別情報により識別される無線リソースを共通ｅＰＤＣＣＨ領域として特定する。ｅＮＢ２００は、セルＩＤと組み合わせることで共通ｅＰＤＣＣＨ領域の位置を特定できるオフセットをｅＰＤＣＣＨ識別情報として、ＭＩＢにより送信してもよい。
【０１０４】
或いは、ＭＩＢによる通知に代えて、第１実施形態で説明した動作パターン２と同様の動作を適用してもよい。具体的には、ｅＮＢ２００は、セルＩＤを含んだ同期信号又はセルＩＤに応じてマッピングされた参照信号を送信する。ＵＥ１００は、同期信号又は参照信号からセルＩＤを特定し、セルＩＤから算出される無線リソースをｅＰＤＣＣＨ領域として特定する。例えば、あるセルＩＤ領域（例えばＡ０００〜ＡＦＦＦ番）はオフセットゼロ、あるセルＩＤ領域（例えばＢ０００〜ＢＦＦＦ番）はオフセット１、と予め規定されており、ＵＥ１００は、セルＩＤに対応するオフセットにより共通ｅＰＤＣＣＨ領域の位置を特定する。
【０１０５】
［第３実施形態］
第３実施形態について、第１実施形態及び第２実施形態との相違点を主として説明する。
【０１０６】
第３実施形態では、ｅＮＢ２００は、共通ｅＰＤＣＣＨ領域に加えて、ＵＥ１００個別の下りリンク制御信号（以下、「個別下りリンク制御信号」）を送信するための個別ｅＰＤＣＣＨ領域を設定する。すなわち、第３実施形態は、ｅＰＤＣＣＨ領域を細分化する実施形態である。
【０１０７】
（ｅＰＤＣＣＨ領域の設定パターン）
図１５乃至図１７は、第３実施形態に係るｅＰＤＣＣＨ領域の設定パターンを説明するための図である。
【０１０８】
図１５に示すように、ｅＮＢ２００は、共通ｅＰＤＣＣＨ領域に加えて、個別ｅＰＤＣＣＨ領域を設定する。共通ｅＰＤＣＣＨ領域（ｃｏｍｍｏｎ）は、共通下りリンク制御信号を送信するためのｅＰＤＣＣＨ領域である。個別ｅＰＤＣＣＨ領域（ｕｓｅｒ）は、個別下りリンク制御信号を送信するためのｅＰＤＣＣＨ領域である。個別下りリンク制御信号は、例えば、ＤＣＩ（Ｄｏｗｎｌｉｎｋ  Ｃｏｎｔｒｏｌ  Ｉｎｆｏｒｍａｔｉｏｎ）及びＲＲＣメッセージを含む。
【０１０９】
第３実施形態では、個別ｅＰＤＣＣＨ領域は、個別下りリンク制御信号の送信先のＵＥ１００に必要とされる誤り耐性に応じて区分された複数のサブ領域を含む。ＵＥ１００に必要とされる誤り耐性は、ＵＥ１００の通信環境により定まる。例えばセルエッジのＵＥ１００については、必要とされる誤り耐性は高い。これに対し、セル中心付近のＵＥ１００については、必要とされる誤り耐性は低い。ＵＥ１００に必要とされる誤り耐性は、そのＵＥ１００からのフィードバック情報により特定できる。フィードバック情報とは、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）などである。
【０１１０】
ｅＮＢ２００は、自セルとの接続を確立した状態（接続状態）のＵＥ１００からのフィードバック情報に基づいて、そのＵＥ１００に個別ｅＰＤＣＣＨを割り当てる。
【０１１１】
図１６に示すように、ｅＮＢ２００は、ＵＥ１００に割り当てた個別ｅＰＤＣＣＨ領域を示す情報を共通ｅＰＤＣＣＨ領域においてＵＥ１００に送信する。具体的には、ｅＮＢ２００は、ＵＥ１００に割り当てた個別ｅＰＤＣＣＨ領域を示す情報を共通下りリンク制御信号に含める。また、ｅＮＢ２００は、ＵＥ１００に割り当てたＰＤＳＣＨ領域（ユーザデータ領域）を示す情報を個別ｅＰＤＣＣＨ領域においてＵＥ１００に送信する。具体的には、ｅＮＢ２００は、ＵＥ１００に割り当てたＰＤＳＣＨ領域を示す情報を個別下りリンク制御信号（ＤＣＩ）に含める。
【０１１２】
図１５及び図１６では、共通ｅＰＤＣＣＨ領域及び個別ｅＰＤＣＣＨ領域が周波数方向に分割されていることを想定している。しかしながら、図１７に示すように、共通ｅＰＤＣＣＨ領域及び個別ｅＰＤＣＣＨ領域が時間方向に分割されてもよい。図１７では、共通ｅＰＤＣＣＨ領域及び個別ｅＰＤＣＣＨ領域は、異なるサブフレームに設定されている。
【０１１３】
（隣接ｅＮＢに対するｅＰＤＣＣＨ領域通知方法）
第１のセルを管理するｅＮＢ２００−１は、共通ｅＰＤＣＣＨ領域及び／又は個別ｅＰＤＣＣＨ領域を設定する。ｅＮＢ２００−１は、第１のセルに隣接する第２のセルを管理するｅＮＢ２００−２に対して、共通ｅＰＤＣＣＨ領域及び／又は個別ｅＰＤＣＣＨ領域に関するｅＰＤＣＣＨ情報を送信する。ｅＰＤＣＣＨ情報は、Ｘ２インターフェイス上で送信される。或いは、ｅＰＤＣＣＨ情報は、Ｓ１インターフェイス上で送信されてもよい。ｅＮＢ２００−２は、ｅＰＤＣＣＨ情報を受信する。
【０１１４】
図１８は、第３実施形態に係るｅＰＤＣＣＨ情報の構成例１を説明するための図である。
【０１１５】
図１８に示すように、ｅＰＤＣＣＨ情報は、共通ｅＰＤＣＣＨ領域及び個別ｅＰＤＣＣＨ領域を設定する第１のセルの識別子（セルＩＤ）と、共通ｅＰＤＣＣＨ領域として設定される無線リソースのリソース識別情報と、個別ｅＰＤＣＣＨ領域として設定される無線リソースのリソース識別情報と、を含む。リソース識別情報は、周波数リソースの識別情報と時間リソースの識別情報とを含む。周波数リソースの識別情報とは、例えばリソースブロック番号である。時間リソースの識別情報とは、例えば無線フレーム番号及びサブフレーム番号である。
【０１１６】
図１９及び図２０は、第３実施形態に係るｅＰＤＣＣＨ情報の構成例２を説明するための図である。
【０１１７】
図１９に示すように、ｅＰＤＣＣＨ情報は、共通ｅＰＤＣＣＨ領域及び個別ｅＰＤＣＣＨ領域を設定する第１のセルの識別子（セルＩＤ）と、共通ｅＰＤＣＣＨ領域として設定される無線リソースのリソース識別情報と、個別ｅＰＤＣＣＨ領域として設定される無線リソースのリソース識別情報と、を含む。構成例２では、リソース識別情報には、必要とされる誤り耐性を示す情報が関連付けられている点で、上述した構成例１とは異なる。また、図２０に示すように、リソース識別情報には、必要とされる誤り耐性の詳細を示す情報が関連付けられていてもよい。
【０１１８】
図２１は、第３実施形態に係るｅＰＤＣＣＨ情報の利用例を説明するための図である。
【０１１９】
図２１に示すように、第１のセルを管理するｅＮＢ２００−１と、第１のセルに隣接する第２のセルを管理するｅＮＢ２００−２と、が設置されている。各ｅＮＢ２００は、自セルで設定する共通ｅＰＤＣＣＨ領域及び個別ｅＰＤＣＣＨ領域についてのｅＰＤＣＣＨ情報を他のｅＮＢ２００に送信する。そして、各ｅＮＢ２００は、受信したｅＰＤＣＣＨ情報に基づいて、他のｅＮＢ２００−１が設定する共通ｅＰＤＣＣＨ領域及び個別ｅＰＤＣＣＨ領域とは重複しない無線リソースを、自セルにおける共通ｅＰＤＣＣＨ領域として設定する。これにより、共通ｅＰＤＣＣＨ領域の干渉を回避し、各セルにおいて共通下りリンク制御信号を良好に送信できる。
【０１２０】
第３実施形態では、各ｅＮＢ２００は、受信したｅＰＤＣＣＨ情報に基づいて、隣接セルに設定された誤り耐性を考慮して、ＰＤＳＣＨ領域（ユーザデータ領域）の割り当てを行ってもよい。
【０１２１】
例えば、ｅＮＢ２００−２は、ｅＮＢ２００−１（隣接セル）において必要とされる誤り耐性が低く設定されている個別ｅＰＤＣＣＨ領域（低エラー耐性領域）は干渉を受け難い部分であるため、その個別ｅＰＤＣＣＨ領域に対応する無線リソースについては通常のＰＤＳＣＨ割り当てを行う。
【０１２２】
一方、ｅＮＢ２００−２は、ｅＮＢ２００−１（隣接セル）において必要とされる誤り耐性が高く設定されている個別ｅＰＤＣＣＨ領域（高エラー耐性領域）は干渉を受け易い部分であるため、その個別ｅＰＤＣＣＨ領域に対応する無線リソースについては、自セルにおいて必要とされる誤り耐性が低いＵＥ１００のＰＤＳＣＨを割り当てる。これにより、個別ｅＰＤＣＣＨ領域の干渉を回避し、ｅＮＢ２００−１が個別下りリンク制御信号を良好に送信できる。
【０１２３】
各ｅＮＢ２００は、自セルで設定する共通ｅＰＤＣＣＨ領域及び／又は個別ｅＰＤＣＣＨ領域を更新してもよい。例えば、各ｅＮＢ２００は、共通ｅＰＤＣＣＨ領域として設定する無線リソースを変更する、及び／又は個別ｅＰＤＣＣＨ領域として設定する無線リソースを変更する。各ｅＮＢ２００は、共通ｅＰＤＣＣＨ領域及び／又は個別ｅＰＤＣＣＨ領域の設定更新時に、更新後の共通ｅＰＤＣＣＨ領域及び／又は個別ｅＰＤＣＣＨ領域を示すｅＰＤＣＣＨ情報を他のｅＮＢ２００に送信してもよい。
【０１２４】
［第４実施形態］
第４実施形態について、第１実施形態乃至第３実施形態との相違点を主として説明する。
【０１２５】
第１実施形態乃至第３実施形態では、ｅＰＤＣＣＨ領域の更新方法について特に触れなかった。
【０１２６】
第４実施形態では、ｅＮＢ２００は、自セルに収容されるＵＥ１００の数の変化、又は自セルに収容されるＵＥ１００に必要とされる誤り耐性の変化に応じて、ｅＰＤＣＣＨ領域の設定を更新する。第４実施形態では、主として個別ｅＰＤＣＣＨ領域の更新を想定するが、共通ｅＰＤＣＣＨ領域を更新してもよい。
【０１２７】
図２２は、第４実施形態に係るｅＰＤＣＣＨ領域の更新方法１のフロー図である。
【０１２８】
図２２に示すように、ステップＳ１００において、ｅＮＢ２００は、自セルに収容されるＵＥ１００の数（以下、「収容ＵＥ数」という）を確認する。ステップＳ１０１において、ｅＮＢ２００は、収容ＵＥ数が変化したか否かを確認する。収容ＵＥ数が変化した場合（ステップＳ１０１：Ｙｅｓ）、ステップＳ１０２において、ｅＮＢ２００は、ｅＰＤＣＣＨ領域として割り当てる無線リソースを更新する。そして、ステップＳ１０３において、ｅＮＢ２００は、更新後のｅＰＤＣＣＨ領域に関するｅＰＤＣＣＨ情報を隣接ｅＮＢ２００に送信する。
【０１２９】
図２３は、第４実施形態に係るｅＰＤＣＣＨ領域の更新方法２のフロー図である。
【０１３０】
図２３に示すように、ステップＳ２００において、ｅＮＢ２００は、自セルに収容されるＵＥ１００のうち、必要とする誤り耐性の高いＵＥ１００の数（以下、「高エラー収容ＵＥ数」という）を確認する。ステップＳ２０１において、ｅＮＢ２００は、自セルに収容されるＵＥ１００のうち、必要とする誤り耐性の低いＵＥ１００の数（以下、「低エラー収容ＵＥ数」という）を確認する。ステップＳ２０２において、ｅＮＢ２００は、高エラー収容ＵＥ数又は低エラー収容ＵＥ数が変化したか否かを確認する。高エラー収容ＵＥ数又は低エラー収容ＵＥ数が変化した場合（ステップＳ２０２：Ｙｅｓ）、ステップＳ２０３において、ｅＮＢ２００は、ｅＰＤＣＣＨ領域として割り当てる無線リソースを更新する。そして、ステップＳ２０４において、ｅＮＢ２００は、更新後のｅＰＤＣＣＨ領域に関するｅＰＤＣＣＨ情報を隣接ｅＮＢ２００に送信する。
【０１３１】
［第５実施形態］
第５実施形態について、第１実施形態乃至第４実施形態との相違点を主として説明する。
【０１３２】
第１実施形態乃至第４実施形態では、ｅＮＢ２００は、自セルでｅＰＤＣＣＨ領域を初期設定又は更新する際にｅＰＤＣＣＨ情報を隣接ｅＮＢ２００に送信することを想定していた。
【０１３３】
第５実施形態では、ｅＮＢ２００は、ハンドオーバ手順においてｅＰＤＣＣＨ情報を隣接ｅＮＢ２００に送信する。具体的には、第５実施形態では、ｅＮＢ２００−１は、隣接セルから自セルへのＵＥ１００のハンドオーバの要求をｅＮＢ２００−２から受信する。ｅＮＢ２００−１は、ハンドオーバの要求に対する応答を行う際に、ｅＰＤＣＣＨ情報をｅＮＢ２００−２に送信する。そして、ｅＮＢ２００−２は、隣接セルへのハンドオーバ指示をＵＥ１００に送信する際に、ｅＰＤＣＣＨ情報をＵＥ１００に通知する。
【０１３４】
図２４は、一般的なハンドオーバ手順を示すシーケンス図である。
【０１３５】
図２４に示すように、ステップＳ３０において、ｅＮＢ２００−２のセルにおいて接続状態のＵＥ１００は、隣接セルに関する測定報告をｅＮＢ２００−２に送信する。ステップＳ３１において、測定報告を受信したｅＮＢ２００−２は、測定報告に基づいて、ｅＮＢ２００−１のセルへのＵＥ１００のハンドオーバを決定する。ステップＳ３２において、ハンドオーバを決定したｅＮＢ２００−２は、ハンドオーバの準備を要求するためのハンドオーバ要求をｅＮＢ２００−１に送信する。ステップＳ３３において、ハンドオーバ要求を受信したｅＮＢ２００−１は、ハンドオーバ要求を受諾することを示す応答（Ａｃｋ）をｅＮＢ２００−２に送信する。当該応答を受信したｅＮＢ２００−２は、ｅＮＢ２００−１のセルへのハンドオーバを指示するためのハンドオーバ指示をＲＲＣ設定情報と共にＵＥ１００に送信する。
【０１３６】
図２５は、第５実施形態に係るｅＮＢ２００−１の動作フロー図である。本フローは、図２４のステップＳ３２及びＳ３３において実行される。
【０１３７】
図２５に示すように、ステップＳ３００において、ｅＮＢ２００−１は、ハンドオーバ要求を受信する。ステップＳ３０１において、ｅＮＢ２００−１は、ハンドオーバ要求を受諾するか否かを確認する。ハンドオーバ要求を受諾する場合（ステップＳ３０２：Ｙｅｓ）、ステップＳ３０３において、ｅＮＢ２００−１は、ハンドオーバ要求を受諾する旨のメッセージに、自セルについてのｅＰＤＣＣＨ情報を含める。そして、ステップＳ３０４において、ｅＮＢ２００−１は、ｅＰＤＣＣＨ情報を含んだメッセージをｅＮＢ２００−２に送信する。
【０１３８】
ただし、ハンドオーバ元においてハンドオーバ先セルのｅＰＤＣＣＨ情報を保持していれば、ｅＰＤＣＣＨ情報をハンドオーバ応答メッセージに常に含める必要はない。図２６は、第５実施形態に係るｅＮＢ２００−２の動作フロー図である。本フローは、図２４のステップＳ３１及びＳ３２において実行される。
【０１３９】
図２６に示すように、ステップＳ４００において、ｅＮＢ２００−２は、ｅＮＢ２００−１のセルへのＵＥ１００のハンドオーバを決定する。ステップＳ４０１において、ｅＮＢ２００−２は、ｅＮＢ２００−１のセルについてのｅＰＤＣＣＨ情報を保持しているか否かを確認する。当該ｅＰＤＣＣＨ情報を保持していない場合（ステップＳ４０１：Ｎｏ）、ステップＳ４０２において、ｅＮＢ２００−２は、ｅＰＤＣＣＨ情報の送信要求をハンドオーバ要求に含めて、ハンドオーバ要求をｅＮＢ２００−１に送信する。これに対し、当該ｅＰＤＣＣＨ情報を保持している場合（ステップＳ４０１：Ｙｅｓ）、ステップＳ４０３において、ｅＮＢ２００−２は、ｅＰＤＣＣＨ情報の送信要求をハンドオーバ要求に含めずに、ハンドオーバ要求をｅＮＢ２００−１に送信する。本フローでは、ハンドオーバ要求を受信したｅＮＢ２００−１は、ｅＰＤＣＣＨ情報の送信要求がハンドオーバ要求に含まれていい場合には、ｅＰＤＣＣＨ情報をハンドオーバ応答メッセージに含めなくてもよい。
【０１４０】
［第６実施形態］
第６実施形態について、第１実施形態乃至第５実施形態との相違点を主として説明する。
【０１４１】
共通ｅＰＤＣＣＨ領域において送信される共通下りリンク制御信号は、セル内の全ＵＥ１００が受信できる必要がある。よって、第６実施形態では、共通ｅＰＤＣＣＨ領域における共通下りリンク制御信号の送信方法について説明する。
【０１４２】
図２７は、第６実施形態に係るｅＮＢ２００の動作パターン１を説明するための図である。
【０１４３】
図２７に示すように、ｅＮＢ２００は、共通ｅＰＤＣＣＨ領域に適用する送信指向性を変化させながら、共通下りリンク制御信号を送信する。例えば、ｅＮＢ２００は、共通下りリンク制御信号の送信に適用するプリコーダ行列（送信アンテナウェイト）をサブフレームごとに異ならせることにより、共通ｅＰＤＣＣＨ領域に適用する送信指向性を変化させる。これにより、セルエッジのＵＥ１００であっても共通下りリンク制御信号を良好に受信できる。ｅＮＢ２００は、自セル内ＵＥ１００のチャネル状況を考慮して、送信指向性を変化させる周期を調整してもよい。例えば、自セル内ＵＥ１００のチャネル状況のばらつきが大きければ周期を短めに設定し、自セル内ＵＥ１００のチャネル状況のばらつきが小さければ周期を長めに設定する。また、ｅＮＢ２００は、当該周期をＵＥ１００に通知することにより、ＵＥ１００の省電力化などに役立ててもよい。
【０１４４】
図２８は、第６実施形態に係るｅＮＢ２００の動作パターン２を説明するための図である。
【０１４５】
図２８に示すように、ｅＮＢ２００は、複数のサブフレームのうち少なくとも１つにおいて、第１のリソースブロック（基準リソースブロック）と、第１のリソースブロックと周波数方向に離間して設けられた第２のリソースブロックと、からなる無線リソースを、共通ｅＰＤＣＣＨ領域として設定する。このように、オフセットが設けられた一対の周波数リソースを共通ｅＰＤＣＣＨ領域として設定することにより、周波数ダイバーシチの効果を得ることができる。ｅＮＢ２００は、当該一対の周波数リソースを識別するリソース識別情報をＭＩＢでＵＥ１００に通知する。或いは、基準周波数リソース（基準リソースブロック）及びオフセットを示す情報をＭＩＢでＵＥ１００に通知してもよい。
【０１４６】
図２９及び図３０は、第６実施形態に係るｅＮＢ２００の動作パターン３を説明するための図である。
【０１４７】
図２９及び図３０に示すように、ｅＮＢ２００は、所定のホッピングパターンにより共通ｅＰＤＣＣＨ領域がサブフレームごとに周波数ホッピングするように、共通ｅＰＤＣＣＨ領域として設定するリソースブロックを変化させる。周波数ホッピングを採用することにより、周波数ダイバーシチの効果を得ることができる。ｅＮＢ２００は、ホッピング周期及びホッピングパターンを示す情報をＭＩＢでＵＥ１００に通知する。
【０１４８】
図３１は、第６実施形態に係るｅＮＢ２００の動作パターン４を説明するための図である。
【０１４９】
図３１に示すように、サブフレームは、時間方向に分割された第１のスロット及び第２のスロットを含む。ｅＮＢ２００は、共通ｅＰＤＣＣＨ領域として設定するリソースブロックを第１のスロット及び第２のスロットで異ならせる。すなわち、第２スロットにおいて共通ｅＰＤＣＣＨ領域として設定するリソースブロックは、第１スロットにおいて共通ｅＰＤＣＣＨ領域として設定するリソースブロック（基準リソースブロック）とは異なる。これにより、周波数ダイバーシチの効果を得ることができる。ｅＮＢ２００は、第１スロット及び第２スロットのそれぞれについて共通ｅＰＤＣＣＨ領域として設定するリソースブロックを示す情報をＭＩＢでＵＥ１００に通知する。或いは、基準リソースブロック及びオフセットを示す情報をＭＩＢでＵＥ１００に通知してもよい。
【０１５０】
なお、第６実施形態に係る動作パターン１乃至４の何れにおいても、ｅＮＢ２００は、ＭＩＢでＵＥ１００に通知する情報と同様の情報を、ｅＰＤＣＣＨ情報として隣接ｅＮＢ２００に通知してもよい。
【０１５１】
［その他の実施形態］
上述した各実施形態は、別個独立して実施するだけでなく、２以上の実施形態を組み合わせて実施してもよい。
【０１５２】
個別ｅＰＤＣＣＨ領域は、共通ｅＰＤＣＣＨ領域と併用する場合に限らず、従来型のＰＤＣＣＨと併用してもよい。例えば、従来型のＰＤＣＣＨ領域を含むサブフレームにおいて、個別ｅＰＤＣＣＨ領域をユーザデータ領域（ＰＤＳＣＨ領域）に設定してもよい。この場合、共通下りリンク制御信号を従来型のＰＤＣＣＨ領域において送信し、個別ｅＰＤＣＣＨ領域において送信することが可能である。
【０１５３】
上述した各実施形態では、セルラ通信システムの一例としてＬＴＥシステムを説明したが、ＬＴＥシステムに限定されるものではなく、ＬＴＥシステム以外のシステムに本発明を適用してもよい。
【０１５４】
なお、日本国特許出願第２０１３−１３３６５６号（２０１３年６月２６日出願）及び日本国特許出願第２０１３−１３３６６０号（２０１３年６月２６日出願）の全内容が、参照により、本願明細書に組み込まれている。
【産業上の利用可能性】
【０１５５】
以上のように、本発明に係る通信制御方法は、ｅＰＤＣＣＨ領域を適切に取り扱うことが可能であるため、移動通信分野において有用である。
【図１】
2014208351.tif 000003
【図２】
2014208351.tif 000004
【図３】
2014208351.tif 000005
【図４】
2014208351.tif 000006
【図５】
2014208351.tif 000007
【図６】
2014208351.tif 000008
【図７】
2014208351.tif 000009
【図８】
2014208351.tif 000010
【図９】
2014208351.tif 000011
【図１０】
2014208351.tif 000012
【図１１】
2014208351.tif 000013
【図１２】
2014208351.tif 000014
【図１３】
2014208351.tif 000015
【図１４】
2014208351.tif 000016
【図１５】
2014208351.tif 000017
【図１６】
2014208351.tif 000018
【図１７】
2014208351.tif 000019
【図１８】
2014208351.tif 000020
【図１９】
2014208351.tif 000021
【図２０】
2014208351.tif 000022
【図２１】
2014208351.tif 000023
【図２２】
2014208351.tif 000024
【図２３】
2014208351.tif 000025
【図２４】
2014208351.tif 000026
【図２５】
2014208351.tif 000027
【図２６】
2014208351.tif 000028
【図２７】
2014208351.tif 000029
【図２８】
2014208351.tif 000030
【図２９】
2014208351.tif 000031
【図３０】
2014208351.tif 000032
【図３１】
2014208351.tif 000033
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
複数のリソースブロックのうちの少なくともいずれか一つを用いる通信制御方法であって、
時間方向に分割された複数のサブフレームにより無線フレームが構成され、前記複数のサブフレームのそれぞれは、周波数方向に分割された前記複数のリソースブロックを含み、
第１のセルを管理する第１の基地局が、前記複数のサブフレームのうち少なくとも１つにおいて、前記複数のリソースブロックのうち一部のリソースブロックからなる無線リソースを、前記第１のセルにおける下りリンク制御信号を送信するためのｅＰＤＣＣＨ領域として設定する設定ステップと、
前記第１の基地局が、第２のセルを管理する第２の基地局に対して、前記ｅＰＤＣＣＨ領域を示すｅＰＤＣＣＨ情報を送信する送信ステップと、
前記第２の基地局が、前記ｅＰＤＣＣＨ情報を受信する受信ステップと、を含むことを特徴とする通信制御方法。
【請求項２】
前記送信ステップにおいて、前記第１の基地局は、前記ｅＰＤＣＣＨ領域の設定を更新した時に、更新後の前記ｅＰＤＣＣＨ領域を示す前記ｅＰＤＣＣＨ情報を前記第２の基地局に送信することを特徴とする請求項１に記載の通信制御方法。
【請求項３】
前記ｅＰＤＣＣＨ情報は、前記ｅＰＤＣＣＨ領域として設定される無線リソースのリソース識別情報を含むことを特徴とする請求項１に記載の通信制御方法。
【請求項４】
前記ｅＰＤＣＣＨ領域は、前記第１のセル内で共通の下りリンク制御信号を送信するための共通領域を含み、
前記ｅＰＤＣＣＨ情報は、前記共通領域として設定される無線リソースのリソース識別情報を含むことを特徴とする請求項１に記載の通信制御方法。
【請求項５】
前記ｅＰＤＣＣＨ領域は、ユーザ端末個別の下りリンク制御信号を送信するための個別領域を含み、
前記ｅＰＤＣＣＨ情報は、前記個別領域として設定される無線リソースのリソース識別情報を含むことを特徴とする請求項１に記載の通信制御方法。
【請求項６】
前記ｅＰＤＣＣＨ領域は、前記下りリンク制御信号の送信先のユーザ端末に必要とされる誤り耐性に応じて区分された複数のサブ領域を含み、
前記ｅＰＤＣＣＨ情報は、前記複数のサブ領域のそれぞれのリソース識別情報を含むことを特徴とする請求項１に記載の通信制御方法。
【請求項７】
前記第１の基地局が、前記第１のセルに収容されるユーザ端末の数の変化、又は前記第１のセルに収容されるユーザ端末に必要とされる誤り耐性の変化に応じて、前記ｅＰＤＣＣＨ領域の設定を更新するステップをさらに含むことを特徴とする請求項２に記載の通信制御方法。
【請求項８】
前記第２の基地局が、前記ｅＰＤＣＣＨ情報に基づいて、前記第２のセルにおける下りリンク制御信号を送信するためのｅＰＤＣＣＨ領域を設定するステップをさらに含むことを特徴とする請求項１に記載の通信制御方法。
【請求項９】
前記第１の基地局が、前記第２のセルから前記第１のセルへのユーザ端末のハンドオーバの要求を前記第２の基地局から受信するステップをさらに含み、
前記第１の基地局は、前記ハンドオーバの要求に対する応答を行う際に、前記ｅＰＤＣＣＨ情報を前記第２の基地局に送信することを特徴とする請求項１に記載の通信制御方法。
【請求項１０】
前記第２の基地局が、前記第１のセルへのハンドオーバ指示を前記ユーザ端末に送信する際に、前記ｅＰＤＣＣＨ情報を前記ユーザ端末に通知するステップをさらに含むことを特徴とする請求項９に記載の通信制御方法。
【請求項１１】
複数のリソースブロックのうちの少なくともいずれか一つを用いる通信制御方法であって、
時間方向に分割された複数のサブフレームにより無線フレームが構成され、前記複数のサブフレームのそれぞれは、周波数方向に分割された前記複数のリソースブロックを含み、
セルを管理する基地局が、前記複数のサブフレームのうち少なくとも１つにおいて、前記複数のリソースブロックのうち一部のリソースブロックからなる無線リソースを、前記セルにおける下りリンク制御信号を送信するためのｅＰＤＣＣＨ領域として設定する設定ステップと、
前記基地局が、前記ｅＰＤＣＣＨ領域と関連付けられた識別情報を送信する送信ステップと、
前記セルにおいてアイドル状態のユーザ端末が、前記識別情報を受信した後、前記識別情報に基づいて前記ｅＰＤＣＣＨ領域を特定する特定ステップと、を含むことを特徴とする通信制御方法。
【請求項１２】
前記ユーザ端末が、前記ｅＰＤＣＣＨ領域で送信される前記下りリンク制御信号を受信することにより前記セルとの接続を確立する確立ステップをさらに含むことを特徴とする請求項１１に記載の通信制御方法。
【請求項１３】
前記識別情報は、前記ｅＰＤＣＣＨ領域として設定される無線リソースを識別する情報であり、
前記送信ステップにおいて、前記基地局は、前記識別情報を含んだシステム情報を送信し、
前記特定ステップにおいて、前記ユーザ端末は、前記システム情報に含まれる前記識別情報を受信した後、前記識別情報により識別される無線リソースを前記ｅＰＤＣＣＨ領域として特定することを特徴とする請求項１１に記載の通信制御方法。
【請求項１４】
前記識別情報は、前記セルを識別する情報であり、
前記送信ステップにおいて、前記基地局は、前記識別情報を含んだ同期信号又は前記識別情報に応じてマッピングされた参照信号を送信し、
前記特定ステップにおいて、前記ユーザ端末は、前記同期信号又は前記参照信号により求められる前記識別情報から算出される無線リソースを前記ｅＰＤＣＣＨ領域として特定することを特徴とする請求項１１に記載の通信制御方法。
【請求項１５】
前記識別情報は、前記ｅＰＤＣＣＨ領域として設定される無線リソースを識別する情報であり、
前記送信ステップにおいて、前記基地局は、前記ｅＰＤＣＣＨ領域が設定されるサブフレームの先頭シンボルで前記識別情報を送信し、
前記特定ステップにおいて、前記ユーザ端末は、前記先頭シンボルで送信された前記識別情報を受信した後、前記識別情報により識別される無線リソースを、前記ｅＰＤＣＣＨ領域として特定することを特徴とする請求項１１に記載の通信制御方法。
【請求項１６】
前記識別情報は、前記ｅＰＤＣＣＨ領域を特定するためのフラグであり、
前記送信ステップにおいて、前記基地局は、前記ｅＰＤＣＣＨ領域内の特定の位置で前記識別情報を送信し、
前記特定ステップにおいて、前記ユーザ端末は、前記ｅＰＤＣＣＨ領域内の前記識別情報を受信した後、前記識別情報の位置に応じて前記ｅＰＤＣＣＨ領域を特定することを特徴とする請求項１１に記載の通信制御方法。
【請求項１７】
複数のリソースブロックのうちの少なくともいずれか一つを用いる通信制御方法であって、
時間方向に分割された複数のサブフレームにより無線フレームが構成され、前記複数のサブフレームのそれぞれは、周波数方向に分割された前記複数のリソースブロックを含み、
セルを管理する基地局が、前記複数のサブフレームのうち少なくとも１つにおいて、前記複数のリソースブロックのうち一部のリソースブロックからなる無線リソースを、前記セル内で共通の下りリンク制御信号を送信するための共通ｅＰＤＣＣＨ領域として設定する設定ステップを含むことを特徴とする通信制御方法。
【請求項１８】
前記共通ｅＰＤＣＣＨ領域は、前記セル内で共通の下りリンク制御信号のみを送信するためのｅＰＤＣＣＨ領域であることを特徴とする請求項１７に記載の通信制御方法。
【請求項１９】
前記基地局が、前記共通ｅＰＤＣＣＨ領域と関連付けられた識別情報を含んだマスタ情報ブロックを送信する送信ステップと、
前記セルにおいてアイドル状態のユーザ端末が、前記マスタ情報ブロックに含まれる前記識別情報を受信した後、前記識別情報に基づいて前記共通ｅＰＤＣＣＨ領域を特定する特定ステップと、をさらに含むことを特徴とする請求項１７に記載の通信制御方法。
【請求項２０】
前記基地局が、前記共通ｅＰＤＣＣＨ領域に適用する送信指向性を変化させながら、前記セル内で共通の下りリンク制御信号を送信する送信ステップをさらに含むことを特徴とする請求項１７に記載の通信制御方法。
【請求項２１】
前記設定ステップにおいて、前記基地局は、前記複数のサブフレームのうち少なくとも１つにおいて、第１のリソースブロックと、前記第１のリソースブロックと周波数方向に離間して設けられた第２のリソースブロックと、からなる無線リソースを、前記共通ｅＰＤＣＣＨ領域として設定することを特徴とする請求項１７に記載の通信制御方法。
【請求項２２】
前記設定ステップにおいて、前記基地局は、所定のホッピングパターンにより前記共通ｅＰＤＣＣＨ領域がサブフレームごとに周波数ホッピングするように、前記共通ｅＰＤＣＣＨ領域として設定するリソースブロックを変化させることを特徴とする請求項１７に記載の通信制御方法。
【請求項２３】
前記複数のサブフレームのそれぞれは、時間方向に分割された第１のスロット及び第２のスロットを含み、
前記設定ステップにおいて、前記基地局は、前記共通ｅＰＤＣＣＨ領域として設定するリソースブロックを前記第１のスロット及び前記第２のスロットで異ならせることを特徴とする請求項１７に記載の通信制御方法。
【請求項２４】
複数のリソースブロックのうちの少なくともいずれか一つを用いる基地局であって、
時間方向に分割された複数のサブフレームにより無線フレームが構成され、前記複数のサブフレームのそれぞれは、周波数方向に分割された前記複数のリソースブロックを含み、
前記複数のサブフレームのうち少なくとも１つにおいて、前記複数のリソースブロックのうち一部のリソースブロックからなる無線リソースを、前記第１のセルにおける下りリンク制御信号を送信するためのｅＰＤＣＣＨ領域として設定する制御部を備え、
前記制御部は、第２の基地局に対して、前記ｅＰＤＣＣＨ領域を示すｅＰＤＣＣＨ情報を送信する処理を実行することを特徴とする基地局。
【請求項２５】
複数のリソースブロックのうちの少なくともいずれか一つを用いる基地局であって、
時間方向に分割された複数のサブフレームにより無線フレームが構成され、前記複数のサブフレームのそれぞれは、周波数方向に分割された前記複数のリソースブロックを含み、
前記複数のサブフレームのうち少なくとも１つにおいて、前記複数のリソースブロックのうち一部のリソースブロックからなる無線リソースを、前記セルにおける下りリンク制御信号を送信するためのｅＰＤＣＣＨ領域として設定する制御部を備え、
前記制御部は、前記ｅＰＤＣＣＨ領域と関連付けられた識別情報を送信する処理を実行することを特徴とする基地局。
【請求項２６】
複数のリソースブロックのうちの少なくともいずれか一つを用いる基地局であって、時間方向に分割された複数のサブフレームにより無線フレームが構成され、
前記複数のサブフレームのそれぞれは、周波数方向に分割された前記複数のリソースブロックを含み、
前記複数のサブフレームのうち少なくとも１つにおいて、前記複数のリソースブロックのうち一部のリソースブロックからなる無線リソースを、前記セル内で共通の下りリンク制御信号を送信するための共通ｅＰＤＣＣＨ領域として設定する制御部を備えることを特徴とする基地局。
【国際調査報告】
2014208351.tif 000034
2014208351.tif 000035
2014208351.tif 000036
2014208351.tif 000037